(57)【特許請求の範囲】
【請求項１】
前面側が開口する収納家具本体の左右両側の少なくとも一方に戸袋を設け、該戸袋内に前記開口を開閉可能とする扉を収納可能とした収納家具における扉の収納装置において、
前記開口の閉塞時における扉位置で、扉の内面所定箇所には左右方向を向く第１ガイド部が設けられるとともに、前記戸袋の前端所定箇所には前記第１ガイド部内に摺動可能に嵌合する第１ガイドローラが設けられ、扉が前記第１ガイド部内で第１ガイドローラを軸心として回動可能に取り付けられており、さらに前記第１ガイド部の長手方向所定箇所には屈曲部が形成され、前記屈曲部は、該屈曲部が前記第１ガイドローラを通過する時点で扉の進行経路を変更させ、扉を前記収納空間の外側に寄せた状態に保持させるようになっていることを特徴とする収納家具における扉の収納装置。
【発明の詳細な説明】
【０００１】
【発明の属する技術分野】
本発明は、収納家具等における扉の収納装置に関する。
【０００２】
【従来の技術】
従来、この種の収納家具等における扉の収納装置としては、例えば特開平６−２９９７５６号公報等が知られている。
【０００３】
【発明が解決しようとする課題】
この種の収納家具においては、使用者が扉を開放して戸袋内に収納した際に、収納時における扉の後部は戸袋内の支持桟等に軸着されているものの、前部が戸袋内において左右方向に振れてがたついたり、これに使用者が手を挟むこともあり危険であった。また、扉の収納後、扉の前部が収納家具の中央側に寄ってしまうこともあり、扉解放時における開口が狭くなることもあった。
【０００４】
本発明は、上記のような問題点に着目してなされたもので、扉の開閉操作を確実に行えるとともに、扉を戸袋内の所望の位置に確実に収納することが出来る収納家具における扉の収納装置を提供することを目的としている。
【０００５】
【課題を解決するための手段】
上記目的を達成するために、本発明の収納家具における扉の収納装置は、前面側が開口する収納家具本体の左右両側の少なくとも一方に戸袋を設け、該戸袋内に前記開口を開閉可能とする扉を収納可能とした収納家具における扉の収納装置において、
前記開口の閉塞時における扉位置で、扉の内面所定箇所には左右方向を向く第１ガイド部が設けられるとともに、前記戸袋の前端所定箇所には前記第１ガイド部内に摺動可能に嵌合する第１ガイドローラが設けられ、扉が前記第１ガイド部内で第１ガイドローラを軸心として回動可能に取り付けられており、さらに前記第１ガイド部の長手方向所定箇所には屈曲部が形成され、前記屈曲部は、該屈曲部が前記第１ガイドローラを通過する時点で扉の進行経路を変更させ、扉を前記収納空間の外側に寄せた状態に保持させるようになっていることを特徴としている。
この特徴によれば、扉が開放されて戸袋内に収納される途中で、第１ガイド部の屈曲部が第１ガイドローラに差し掛かると、該第１ガイドローラにより扉が収納空間の外側に寄せられた状態で保持されるため、扉が安定してがたつくこと等がなく安全であるばかりか、収納空間内に収納された扉が外側に寄るため、収納家具の開口を大きくすることができる。
【０００７】
【発明の実施の形態】
以下、本発明の実施形態を図面に基づいて説明すると、まず図１における１は本発明の実施例としての収納家具であり、この収納家具１は、天板２、底板３、左右の側板６、６、背面板（図示略）とから前面が開口する筺型に形成されてなり、さらに天板２及び底板３の左右両端には、レール部材３０、３０’がそれぞれ上下に固着され、側板６のさらに外側に外カバー４、４を着脱自在に設けることが出来るようになっている。５は収納家具１の前面開口を開閉可能な扉であり、左右の側板６、６と、それらの外側にそれぞれ所定距離離間して設けられる外カバー４、４と、レール部材３０、３０’とから構成される戸袋の収納空間Ｓ内に収納可能に設けられている。
【０００８】
図２、４に示されるように、扉５の後端上下部には、上方のレール部材３０の裏面及び下方のレール部材３０’の上面にそれぞれ形成された第２ガイド部としてのガイド溝７（図３参照）内を摺動可能に嵌合する第２ガイドローラ８が設けられている。そして扉５の後端部は、上下にガイド溝７内を摺動自在なガイドローラ９、９を有する移動支柱１０に対して、２箇所の回動軸を有する２連蝶番１１を介して軸着されている。
【０００９】
移動支柱１０は、軸１２をもって互いにＸ字状に交差するように連結された第１・第２リンク１３、１４から構成されるＸ型リンク１５により、収納家具１の後部に連結されている。このＸ型リンク１５を構成する第１リンク１３の上端は移動支柱１０の上端部に軸着されており、下端は、ローラ１７を介して側板６の内面６ａ後方下部に取り付けられた断面略Ｃ字状のガイド部材１６内を上下方向に摺動自在に案内されている。また、第２リンク１４は、上端が側板６の内面６ａ後方上部に軸着されており、下端は、ローラ１８を介して移動支柱１０の下部に取り付けられた断面略Ｃ字状のガイド部材１９内を上下方向に摺動自在に案内されている。尚、図２における２０はハンガーレールであり、特にＸ型リンク１５の組付時等において、移動支柱１０をガイドローラ２１を介して一時的に支承出来るようになっている。
【００１０】
このように上下端部がガイドローラ９を介してガイド溝７に案内された移動支柱１０は、Ｘ型リンク１５を介して側板６の後部と連結されていることにより、上下端部の前後方向の振れが規制されているとともに、前後方向に移動可能に設けられている。
【００１１】
なお、本実施例におけるＸ型リンク１５は、第１・第２リンク１３、１４の下端がそれぞれ移動支柱１０、及び側板６の下部のガイド部材１９、１７に上下方向に移動自在に案内されているため、移動支柱１０が後方に付勢されるようになっている。
【００１２】
ガイド溝７は、図３に示されるように、収納家具１の前方に形成される円弧型ガイド溝７ａと、その後端に直線状に連設される直線ガイド溝７ｂとから構成されている。円弧型ガイド溝７ａは、収納家具１の左右端部前部に、それぞれ互いに外向きに広がるように、また、図５（ａ）、（ｂ）に示されるように、第１ガイドローラ２４を中心とする円の円弧に近い形になるように形成されている。
【００１３】
図１、２、４に示されるように、側板６の前端面６ｂ上下所定箇所には、扉５の内面５ａ上下に取付部材２６を介して設けられる前後方向を向く第１ガイド部としてのガイドレール２３の凹部２３ａ内に摺動自在に嵌挿される第１ガイドローラ２４、２４がそれぞれ取付金具２２を介して取り付けられている。上部のガイドレール２３は開口が上向きに、そして下部のガイドレール２３は開口下向きになるように、かつ扉５の内面５ａに着脱自在に取り付けられている。
【００１４】
また、図５（ａ）、（ｂ）〜図８（ａ）、（ｂ）に示されるようにガイドレール２３の所定箇所には、収納時において扉５を外カバー４に対して平行に向けるための屈曲部２５が形成されている。また、ガイドレール２３の後半部（収納方向に向かって扉の後側の部分）内面には、屈曲部２５により扉５の内面５ａとの間に形成される隙間を埋めるべきスペーサとしての当接片２９（図５（ａ）参照）が形成されている。
【００１５】
次にこのように構成された収納家具１における扉５の開閉操作時の作用を図５（ａ）、（ｂ）〜図８（ａ）、（ｂ）に基づいて説明していくと、まず図５（ａ）、（ｂ）には扉５により収納家具１の前面開口が閉塞されている状態が示されている。この時、扉５の上端部にある第２ガイドローラ８は、円弧型ガイド溝７ａの端部に位置されるようになっている。
【００１６】
次に図６（ａ）に示されるように扉５を開放する場合、開放操作時において扉５は、後端が第２ガイドローラ８を介して円弧型ガイド溝７ａに案内されるため、ガイドレール２３内に嵌合される第１ガイドローラ２４を中心とする回動動作を主に行うだけが許容されている状態にある。よってこの時扉５に対してＸ型リンク１５により側板６と外カバー４との間に形成される収納空間Ｓ内後方への付勢力が働いても、扉５が回動動作とともに後端が収納空間Ｓ内へ引き込まれることがほとんどない。
【００１７】
そして図６（ａ）の位置まで扉５が回動した時点で、図６（ｂ）に示されるように第２ガイドローラ８が円弧型ガイド溝７ａと直線ガイド溝７ｂとの連設部に位置し、それ以上の回動動作が規制されるとともに、直線ガイド溝７ｂを介して後方への移動が許容されることになる。また、本実施例においては、扉５の開放動作が扉５の後端部より前方位置にある第１ガイドローラ２４を中心として回動されることから、扉５の後端部の回動を許容すべく外カバー４の前端部が切り欠かれている。
【００１８】
次に扉５を収納空間Ｓ内に収納する場合、扉５は図６（ａ）の状態になると、Ｘ型リンク１５により収納方向に付勢されるため、使用者が強く押し込まなくとも収納空間Ｓ方向に自動的に移動される。この時扉５は後部が第２ガイドローラ８が直線ガイド溝７ｂに案内されるとともに、かつ前部がガイドレール２３を介して第１ガイドローラ２４により案内されることで前後部が進入方向に対して左右方向に振れることなく、また、前述のようにＸ型リンク１５に連結された移動支柱１０により、前後方向に傾斜したり、上下端部が進入方向に対して左右方向に振れることなく収納空間Ｓ内にスムーズに誘導される。
【００１９】
そして本実施例においては第１ガイドローラ２４と第２ガイドローラ８との位置が左右方向にずれているため、扉５は斜めに傾斜した状態で収納方向に移動されようとするが、図７（ａ）、（ｂ）に示されるように、ガイドレール２３の屈曲部２５が第１ガイドローラ２４を通過する時点で、収納方向に向かって扉５の後側が振られ、外カバー４及び側板６と略平行な適正な向きに調整される。よって扉５は収納動作途中で側板６の前端面６ｂや外カバー４の前端面等に接触することなく、奥方まで確実に収納される。
【００２０】
さらに図８（ａ）、（ｂ）に示されるような適正な向きのまま扉５は収納空間Ｓ内に収納される。収納空間Ｓ内において扉５の前後側は移動支柱１０と第１ガイドローラ２４とにより保持されるため、がたつくことがない。
【００２１】
このように本発明の実施例としての収納家具における扉の収納装置にあっては、扉５に設けられた第２ガイドローラ８が嵌合される円弧型ガイド溝７ａと直線ガイド溝７ｂとからなるガイド溝７により、扉５の回動動作を主に行う区間と収納動作を主に行う区間とがそれぞれ別々に行われるように規制されるため、扉５の開閉・収納操作が煩雑になることなく、かつ開閉操作から収納動作、もしくは収納位置からの引き出し操作から閉塞操作への移行をスムーズにかつ確実に行える。
【００２２】
また、収納動作時において扉５の向きをガイドレール２３により適正な向きに変換出来るとともに、その状態を保持したまま収納しておくことが出来るため、収納空間Ｓ内に収納された扉５のがたつきを防止できる。
【００２３】
以上、本発明の実施例を図面により説明してきたが、具体的な構成はこれら実施例に限られるものではなく、本発明の要旨を逸脱しない範囲における変更や追加があっても本発明に含まれる。
【００２４】
例えば、ガイドレール２３内における屈曲部２５の配設位置、長さ、形状、角度等は、扉５の組み付け構造等に応じて任意に変更可能である。また、ガイドレール２３内の複数箇所に形成されていてもよい。
【００２５】
【発明の効果】
本発明は次の効果を奏する。
【００２６】
請求項１の発明によれば、扉が開放されて戸袋内に収納される途中で、第１ガイド部の屈曲部が第１ガイドローラに差し掛かると、該第１ガイドローラにより扉が収納空間の外側に寄せられた状態で保持されるため、扉が安定してがたつくこと等がなく安全であるばかりか、収納空間内に収納された扉が外側に寄るため、収納家具の開口を大きくすることができる。
【００２８】
【図面の簡単な説明】
【図１】本発明の適用される収納家具の外観を示す使用状態斜視図である。
【図２】図１のＡ−Ａ断面図である。
【図３】図２のＢ−Ｂ断面図である。
【図４】図２のＣ−Ｃ断面図である。
【図５】（ａ）は図２のＤ−Ｄ断面図であり、（ｂ）は図２のＢ−Ｂ断面の一部を示す断面図である。
【図６】（ａ）は扉の作用を示す図であり、（ｂ）は（ａ）に対応する第２ガイドローラの作用を示す図である。
【図７】同じく（ａ）は扉の作用を示す図であり、（ｂ）は（ａ）に対応する第２ガイドローラの作用を示す図である。
【図８】同じく（ａ）は扉の作用を示す図であり、（ｂ）は（ａ）に対応する第２ガイドローラの作用を示す図である。
【符号の説明】
１          収納家具
２          天板
３          底板
４          外カバー
５          扉
５ａ        内面
６          側板
６ａ        内面
６ｂ        前端面
７          ガイド溝
７ａ        円弧型ガイド溝
７ｂ        直線ガイド溝
８          第２ガイドローラ
９          ガイドローラ
１０          移動支柱
１１          ２連蝶番
１２          軸
１３          第１リンク
１４          第２リンク
１５          Ｘ型リンク
１６、１９    ガイド部材
１７、１８    ローラ
２０          ハンガーレール
２１          ハンガーローラ
２２          取付金具
２３          ガイドレール（第１ガイド部）
２３ａ        凹部
２４          第１ガイドローラ
２５          屈曲部
２６          取付部材
２９          当接片
３０、３０’  レール部材
Ｓ            収納空間
【図１】
0003579257.tif 000002
【図２】
0003579257.tif 000003
【図３】
0003579257.tif 000004
【図４】
0003579257.tif 000005
【図５】
0003579257.tif 000006
【図６】
0003579257.tif 000007
【図７】
0003579257.tif 000008
【図８】
0003579257.tif 000009